Podtech/llm-jp-corpus-v4-ja_patent huggingface dataset:
(57)【要約】【課題】印刷装置に用紙節約機能を有していたとしても、特別通常の片面等倍の印刷物が必要でないような試し印刷でも、利用者が何気なくプリンタドライバの設定をデフォルトで印刷実行すると、片面等倍で印刷されて用紙が無駄になるという問題があった。本発明の目的は上記の問題点を解決するものである。【解決手段】印刷装置に用紙節約機能を有している時に複数ページの印刷を利用者がプリンタドライバの設定をデフォルトで印刷実行した場合に、用紙節約を促すメッセージを表示する。そのメッセージには用紙節約すれば何枚節約できるかを、印刷装置の有する用紙節約機能を判断しそれに応じて計算して表示する。そこで「用紙節約して印刷」するかしないかを利用者に選択させ、「用紙節約して印刷」を選択すれば、用紙節約して印刷する。「用紙節約して印刷」を選択しなければ通常の片面等倍。【選択図】        図１
2004318694.tif 000002
【特許請求の範囲】
【請求項１】
印刷させようとする印刷装置がどういう用紙節約機能を有するか把握する機能を有するプリンタドライバ。
【請求項２】
印刷させようとする用紙枚数が何枚か判定する判断機能を有するプリンタドライバ。
【請求項３】
印刷枚数が複数枚数で、印刷させようとしている印刷装置に用紙節約機能を有し、用紙節約の設定をせず印刷しようとしている場合に、利用者に用紙節約を促す指示をする機能を有するプリンタドライバ。
【請求項４】
請求項３で利用者に用紙節約を促す指示をする際に、印刷させようとしている印刷装置の用紙節約機能に応じて何枚節約になるか計算して表示する機能を有するプリンタドライバ。
【請求項５】
請求項３で利用者が用紙節約の指示に従った場合、自動的に印刷設定を用紙節約の処理モードに変換する機能を有するプリンタドライバ。
【請求項６】
請求項５で、自動的に印刷設定を用紙節約の処理モードに変換し、印刷装置にデータ転送する機能を有するプリンタドライバ。
【発明の詳細な説明】
【０００１】
【発明の属する技術分野】
本発明は用紙節約の機能を有する印刷装置と、それに対応するプリンタドライバに関するものである。
【０００２】
【従来の技術】
従来、印刷装置に用紙節約機能を有していても利用者がプリンタドライバ上で何も設定せずデフォルト状態で印刷実行すると、何ら用紙節約の機能が働かず、片面等倍の通常のモードで複数ページの印刷が行われていた。
【０００３】
【発明が解決しようとする課題】
印刷装置に用紙節約機能を有していたとしても、特別通常の片面等倍の印刷物が必要でないような試し印刷でも、利用者が何気なくプリンタドライバの設定をデフォルトで印刷実行すると、片面等倍で印刷されて用紙が無駄になるという問題があった。
【０００４】
本発明は上記の問題点を解決するものである。
【０００５】
印刷装置に用紙節約機能を有している時に複数ページの印刷を利用者がプリンタドライバの設定をデフォルトで印刷実行した場合に、用紙節約を促すメッセージを表示する。そのメッセージには用紙節約すれば何枚節約できるかを、印刷装置の有する用紙節約機能を判断しそれに応じて計算して表示する。そこで「用紙節約して印刷」するかしないかを利用者に選択させる。
【０００６】
利用者が「用紙節約して印刷」を選択すれば、２ｉｎ１や両面印刷などの印刷装置の有する用紙節約機能に応じた処理モードで用紙節約して印刷する。利用者が「用紙節約して印刷」を選択しなければ、通常の片面等倍で印刷する。
【０００７】
【課題を解決するための手段】
本出願に係わる第一の発明は、印刷枚数が複数枚数で、印刷装置に用紙節約機能を有していて、用紙節約の設定をせず印刷しようとしている場合に、プリンタドライバが利用者に用紙節約を促すメッセージを表示する機能を有する。
【０００８】
本出願に係わる第二の発明は、印刷枚数が複数枚数で、印刷装置に用紙節約機能を有していて、用紙節約の設定をせず印刷しようとしているに、プリンタドライバが利用者に用紙節約を促すメッセージを表示し、そこで用紙節約を選択すれば何枚節約できるかを計算して表示する機能を有する。
【０００９】
本出願に係わる第三の発明は、印刷枚数が複数枚数で、印刷装置に用紙節約機能を有していて、用紙節約の設定をせず印刷しようとしているに、プリンタドライバが利用者に用紙節約を促すメッセージを表示し、利用者が「用紙節約して印刷」を選択した場合、自動的に２ｉｎ１や両面印刷などの処理モードで用紙節約して印刷する機能を有する。
【００１０】
【発明の実施の形態】
（第一の実施例）
第一の実施例は、印刷枚数が複数枚数で、印刷装置に用紙節約機能を有していて、用紙節約の設定をせず印刷しようとしている場合に、プリンタドライバが利用者に用紙節約を促す指示をする操作画面からの実施例である。
【００１１】
利用者が、複数枚数を、用紙節約の設定をせずプリンタドライバから印刷実行すると、図１のような操作画面が自動的に表示される。
【００１２】
図１は本発明における、用紙節約操作画面である。
【００１３】
図１において、「操作ボタンＡ（実行する）」は用紙節約を実行するボタンで、「操作ボタンＢ（実行しない）」は用紙節約を実行しないボタンである。
【００１４】
図２は第一の実施例を示すフローチャートである。この図を用いて第一の実施例の動作を以下に説明する。なお（１）〜（５）は書くステップを示す。
【００１５】
図２においてまず、コンピュータのアプリケーションで複数枚の印刷データを作成する。
【００１６】
その印刷データをプリンタドライバの設定デフォルトで印刷実行する。（１）印刷装置に用紙節約機能を有している場合に、図１の操作画面を表示させる。
【００１７】
その際何枚用紙節約できるか計算して表示する。（２）その計算式は印刷装置の持つ用紙節約機能により異なる。
【００１８】
例１）印刷装置が２ｉｎ１の機能を持つ場合
片面等倍で印刷した場合の用紙枚数  −  片面等倍で印刷した場合の用紙枚数÷２＝節約できる用紙枚数（少数以下は切り捨て）
例２）印刷装置が２ｉｎ１の機能と両面印刷機能を持つ場合
片面等倍で印刷した場合の用紙枚数  −  片面等倍で印刷した場合の用紙枚数÷４＝節約できる用紙枚数（少数以下は切り捨て）
その画面上で利用者は用紙節約して印刷実行するか否か選択する。（３）
利用者が用紙節約して印刷を選択した時は用紙節約して印刷する。（４）
利用者が用紙節約して印刷を選択しない時は用紙節約しないで印刷する。（５）
【００１９】
【発明の効果】
利用者が複数枚の印刷を、その必要性も無いのに用紙節約機能を使わずに印刷することを抑止し、経費節減に貢献する。
【図面の簡単な説明】
【図１】本発明の第一の実施例の操作画面の一例を示す概略図である。
【図２】本発明の第一の実施例を示すフローチャートである。
【図１】
2004318694.tif 000003
【図２】
2004318694.tif 000004
(57)【要約】      （修正有）【課題】塾などの授業は出かけなければ受けらず、遠隔地になると、市街地に集中しがちな塾などに、通うこと自体が困難な場合も多々ある。【解決手段】まずテキストが配布され、それに添った授業映像をインターネット経由で動画として配信。質問、解答等はインターネット等でやり取りをする。また、試験に関しては、テスト用紙をインターネット経由でプリントアウトし、自宅でテストを行った後、インターネット経由あるいはＦＡＸで送付する。さらに、受講者が自分で必要と判断した授業のみを選択することができる。また不特定多数の企業、団体、個人などが教育ビジネスを開始することができる。また、参考書などの教材販売において、その教材に即した授業映像を作成し、ダウンロード可能な動画ファイルコンテンツにし、その教材購入者に対してコンテンツへのアクセス権を付与し、購入者がその動画ファイルをダウンロードする。【選択図】なし【特許請求の範囲】
【請求項１】
塾や各種教室等もともと教育機能を有する企業、団体、個人などが、光ファイバーやＤＳＬなどの高速通信網を利用して、インターネット経由で授業映像を動画として配信、または動画ファイルとしてのダウンロードサービスを行う授業方法。
【請求項２】
不特定の企業、団体、個人などが、あらかじめ何らかの方法で授業映像を作成し、ダウンロード可能な動画ファイルコンテンツとしてストックしておき、受講者が、その進度に合わせて任意のコンテンツをブロードバンド網を経由してダウンロードして学習、また授業映像を動画ファイルとして受講者のコンピュータに記録することにより、繰り返し学習できるようにしたインターネット経由の授業方法。
【請求項３】
参考書などの教材販売において、あらかじめその教材に即した授業映像をダウンロード可能な動画ファイルコンテンツとしてストックしておき、当該教材を購入した受講者は、そのコンテンツへのアクセス権が付与され、任意のコンテンツをブロードバンド網を経由してダウンロードして学習でき、また、授業映像を動画ファイルとして受講者のコンピュータに記録することにより、繰り返し学習できるようにしたインターネット経由の授業方法。
【発明の詳細な説明】
【発明が解決しようとする課題】
塾などの授業は出かけなければ受けらず、遠隔地になると、市街地に集中しがちな塾などに、通うこと自体が困難な場合も多々ある。それを解決する方法としては、これまでは郵便等を利用したテキスト等の書面による通信教育が主流であり、授業そのものを体験することは困難であった。放送等による授業ではそれがある程度は可能であるが、わかりにくい部分があっても一方的に流れてしまい、受講者が取り残されてしまうことが多かった。
また実際の授業でも受講者各自の進度に合わせて授業を受けることが出来ず、学習効率面で障害となることが多かった。
【課題を解決するための手段】
本発明は、授業映像を、インターネット経由で動画として配信。契約者は自分の都合の良い時間にそれを見ながら学習する。また、その授業映像を、あらかじめダウンロード可能な動画ファイルとしてストックしておき、受講者は、ダウンロードした動画ファイルで繰り返し学習することで、教室における質問と同じ効果を上げることが可能になり、学習効率をたかめることができる。もちろん事前にテキスト等を配布することで予習復習を可能にする。質問、解答等はインターネット等でやり取りをする。また、試験に関しては、テスト用紙をインターネット経由でプリントアウトし、自宅でテストを行った後、インターネット経由あるいはＦＡＸで送付する。採点、評価、成績分析等も、同様にやり取りする。
さらに、あらかじめ、授業内容を単元ごとに分けたコンテンツ群にし、試験結果等に応じて順番にダウンロードできる仕組みにすれば、受講者各人の学習速度に合わせて、授業を受けることが出来る。
また、教育機能を持たない不特定多数の企業、団体、個人などが、何らかの方法で授業映像を作成し、ダウンロード可能な動画ファイルコンテンツにすることにより、教育ビジネスを開始することができる。
また、参考書などの教材販売において、その教材に即した授業映像を作成し、ダウンロード可能な動画ファイルコンテンツにし、その教材購入者に対してコンテンツへのアクセス権を付与し、購入者がその動画ファイルをダウンロードすることによって、より高い学習効果を与えることができる。
【発明の効果】
これによって遠隔地でも教室に行くのとほとんど変わらない授業を受けることが可能になる。また、受講する場所が必要なくなるので教育機関のコスト削減にもつながり、受講者の授業料負担軽減にも役立つ。また、インターネット上で任意に授業映像の動画をダウンロードすることにより、受講者が都合のよい時に授業を受けることが可能になる。また、その動画ファイルにより、契約者がくり返し学習することも可能になる。さらに、授業内容をファイルとしてストックしておき、進度に合わせてダウンロードできるようにすれば、通常の塾や教室と違い、受講者が自分に合わせて学習を進めることが可能になる。
(57)【要約】【課題】鍵盤楽器や弦楽器、打楽器、管楽器等の楽器演奏の練習時に着用することによって、比較的短期間に最良の腕と手指の使い方を習得するための補助具を提供する。【解決手段】脱着可能な帯状の紐１の先端に着衣の背面に取り付け可能な止め具２を取り付け、その紐１に伸縮性と弾力性を有する帯状の吊り紐５と吊り下げ紐８とを取り付けて肩から腹部付近にぶら下げ、さらに、その吊り下げ紐８の先端に筒状にすることが可能な幅広の前腕通し部９、及び、前腕止め部１０を取り付ける。【選択図】  図１
2004318032.tif 000002
【特許請求の範囲】
【請求項１】
止め具、紐、吊り紐、吊り下げ紐、前腕通し部、及び、前腕止め部とからなるものであって、脱着可能な帯状の紐の先端に着衣の背面に取り付け可能な止め具を取り付け、その紐に伸縮性と弾力性を有する帯状の吊り紐と吊り下げ紐とを取り付けて肩から腹部にぶら下げ、さらに、その吊り下げ紐の先端に筒状にすることが可能な幅広の前腕通し部、及び、前腕止め部を取り付けてなることを特徴とする楽器演奏用補助具。
【発明の詳細な説明】
【０００１】
【発明の属する技術分野】
本発明は、鍵盤楽器や弦楽器、打楽器、管楽器等の演奏の練習を行う際に着用する楽器演奏用補助具に関するものである。
【０００２】
【従来の技術】
これまでの楽器演奏用補助具には、指の強度を高めるものや、肘の向きを矯正することによって正しい姿勢を維持するためのもの等はあったが、本発明のようなものは存在しなかった。
【０００３】
【発明が解決しようとする課題】
手指を使う楽器演奏において美しい表現を可能にするためには、腕の重さを利用した指先への加圧とその除去、除去のタイミング、腕の脱力とその利用の仕方、および、潤滑な手指の動かし方を習得することが必要とされている。しかし、これらの技術を体得するためには、長期間にわたる修行と日々の厳しい訓練が必要である。これまでは、長期間の練習にもかかわらず演奏技術の向上が見られず、演奏すること自体を諦めてしまう人も多数いた。
【０００４】
本発明は前記事情に鑑み考案されたものであり、楽器演奏の練習時に着用することによって、比較的短期間に最良の腕と手指の使い方を習得するための補助具を提供せんとするものである。
【０００５】
【問題を解決するための手段】
本発明の要旨とする構成は、止め具、紐、吊り紐、吊り下げ紐、前腕通し部、及び、前腕止め部とからなるものであって、脱着可能な帯状の紐の先端に着衣の背面に取り付け可能な止め具を取り付け、その紐に伸縮性と弾力性を有する帯状の吊り紐と吊り下げ紐とを取り付けて肩から腹部にぶら下げ、さらに、その吊り下げ紐の先端に筒状にすることが可能な幅広の前腕通し部、及び、前腕止め部を取り付けてなることを特徴とするものである。
【０００６】
【実施例】
以下、図示した実施例に基づいて説明する。図１において、紐１の一端には止め具２が取り付けてある。紐１の他端はリング付き止め具４のリング内に通してあり、止め具３によって長さ調節自在に固定してある。リング付き止め具４は吊り紐５の中央に脱着自在に取り付けてある。吊り紐５の両端はそれぞれリング７に通してあり、長さ調節具６によってそれぞれ長さ調節自在に固定してある。吊り下げ紐８はリング７内に通してあり、自在にその中を動けるようにしてある。吊り下げ紐８の両端には前腕通し部９が取り付けてある。前腕通し部９の端部には前腕止め部１０が取り付けてある。
【０００７】
本実施例では、吊り紐５と吊り下げ紐８には伸縮性と弾力性を有する帯状のゴム紐を使用し、紐１には伸縮性の小さい帯状の布を使用しているが、紐１は伸縮性と弾力性があっても構わないし、吊り下げ紐８は伸縮性と弾力性を有する素材でなくても構わない。また本実施例では、前腕通し部９には幅広の布を使用し、前腕止め部１０にはマジックテープを使用しているが、前腕に違和感なく取り付けることができ、しかも、着脱しやすいものであればホックやボタン等の他の素材を使用することも可能であり、上記の素材に限定されるものではない。
【０００８】
着用にあたっては図２に示すように、止め具２を着用者のズボンやスカート等のベルトに背面の中央部で止める。その後、吊り紐５を両肩に掛け、前腕通し部９を腹部付近にぶら下げ、それぞれの前腕通し部９に前腕を入れ、前腕の中央部付近において前腕止め部１０を使用して固定する。その際図３に示すように、腕の力を抜いて腕を自然に垂らした状態で、上腕と前腕がなす肘の内角θが１００度から１５０度程度になるように、吊り紐５、及び、紐１の長さを調節し、適切な場所で長さ調節具３と６によって固定する。なお図４に示すように本補助具は、吊り紐５を両肩に掛け、紐１を止め具２、および、リング付き止め具４を使用し、体の前面において吊り紐５に止めて着用することも可能である。このような着用法をした場合にも、肘の内角θが１００度から１５０度程度になるようにする必要がある。
【０００９】
【発明の効果】
本発明は以上のような構成からなるもので、以下に示す効果を有する。
【００１０】
本楽器演奏用補助具を着用すると、前腕の重さが吊り紐５を支えている肩に負荷されるため、肩が上がることが防止される。また、前腕が伸縮性と弾力性を有する吊り紐５により吊られている状態にあるので、指に不必要な加圧がされにくくなる。従って、手指の筋肉に対する負担が軽減され、指が潤滑に動きやすくなる。その結果、楽に良い響きを得る演奏方法を着用者自らが体得することを助ける効果を生む。また、腱鞘炎の予防にも効果がある。
【００１１】
図２に示す着用法をすると、背筋にある伸縮性の少ない紐１と首から前にある伸縮性と弾力性を有する吊り紐５を組み合わせることによる相乗効果が得られ、楽器演奏の練習時に於ける姿勢の維持を補助し、矯正することができる。つまり、肩が上がったり、猫背で演奏することを防ぎ、自ずと良い姿勢で演奏するように着用者を誘導する。良い姿勢で演奏すると、自分の演奏の音質も良く聴けるようになる。さらには、美しい響きで演奏することが可能となり、音楽を楽しむゆとりが生じ、ひいては音楽人生を楽しむことへつながる。
【図面の簡単な説明】
【図１】本発明に関わる楽器演奏用補助具を示す全体図である。
【図２】本補助具の着用例を示すもので、斜め後方から見た図である。
【図３】本補助具の着用法を示すもので、斜め前方から見た図である。
【図４】本補助具の着用例の応用例を示す図である。
【符号の説明】
１  紐
２  止め具
３  長さ調整具
４  リング付き止め具
５  吊り紐
６  長さ調整具
７  リング
８  吊り下げ紐
９  前腕通し部
１０  前腕止め部
θ  腕の角度
【図１】
2004318032.tif 000003
【図２】
2004318032.tif 000004
【図３】
2004318032.tif 000005
【図４】
2004318032.tif 000006
(57)【要約】      （修正有）【課題】タクシー乗務員の性別を遠方からでも判別できる何らかの表示を施したタクシーにより、利用者が積極的に男性乗務員と女性乗務員を選択して利用できるようにする。【解決手段】タクシー車両の外装デザイン、塗装や、屋根の上に取り付ける行灯と呼称される標示具、もしくは車両のフロントウインドをはじめとする窓枠等に男性、女性のどちらかを判別できる塗装、もしくはサインを設ける。また、乗務員自体の着衣を遠くからでも性別が判別できるものにするなど、ある一定の距離を隔てていても、利用者側が乗務員の性別を確認し、選択できる表示を設ける。【選択図】なし【特許請求の範囲】
【請求項１】
タクシーにおいて、利用者が乗務員の性別を遠くからでも判別できる表示を施したタクシー。
【発明の詳細な説明】
【発明の所属する技術分野】
本発明は、乗務員の性別を遠くからでも判別できるよう、何らかの表示を施したタクシーに関する。
【従来の技術】
近年タクシー業界でも女性乗務員が増加し、女性乗務員を好む利用者も増えてきている。しかしこれまでのタクシーには、会社名や料金、運転者の技能レベルの表示等はあっても、乗務員の性別を表示するものがなく、車内に乗り込む、もしくは乗務員が目視できる至近距離でないと性別が判別しづらいため、利用者側が積極的に乗務員の性別によって選択して乗車することができなかった。
【発明が解決しようとする課題】
本発明は、乗務員の性別を判別できる何らかの表示を施したタクシーにより、利用者が積極的に男性乗務員と女性乗務員を選択して利用できることを目的とする。
【課題を解決するための手段】
例えばタクシー車両の外装デザイン、塗装や、屋根の上に取り付ける行灯と呼称される標示具、もしくは車両のフロントウインドをはじめとする窓枠等に男性、女性のどちらかを判別できる塗装、もしくはサインを設ける。また、乗務員自体の着衣を遠くからでも性別が判別できるものにするなど、ある一定の距離を隔てていても、利用者側が乗務員の性別を確認し、選択できる表示を設ける。
【発明の実施の形態】
以下図面に示す実施の形態について説明する。
本発明は、タクシー車両の屋根部分に取り付ける行灯と呼称される標示具に、乗務員の性別表示を設ける。もしくは、タクシー車両の窓枠に、あらかじめ男性、女性と区別した色やサインを規定し、その取り決めに従って塗装、もしくは取り付けをする。塗装、取り付け上、夜間の判別が必要であれば、夜光塗料や蛍光素材を使用する。または、タクシー車両全体を、あらかじめ取り決められたデザインによって塗装する。これにより、利用者が乗務員の性別を容易に判断できるようにする。
【発明の効果】
利用者の、乗務員の性別によるタクシーの選択が容易になる。
(57)【要約】【課題】現金自動取引装置の上部ユニットを引出した状態で保守作業、点検作業を行った場合、引出した事を忘れてしまい上部ユニットで頭部を強打するような危険性がある。【解決手段】現金自動取引装置の上部ユニットを引出した状態で一定時間経過後または下部ユニットでの操作が検知されると、危険喚起し上部ユニットが引出されていることを作業者に知らせる。【効果】本発明によれば、作業者の気配りで安全を確保していた保守作業、点検作業も危険喚起させることにより、上部ユニットで頭部を強打させることがなくなり、安全性を向上させることが出来る。また、副音声出力機構１０７で危険喚起することにより作業を行っている者のみに知らせることができ、エンドユーザにはその音声は聞こえない。【選択図】  図２
2004318353.tif 000002
【特許請求の範囲】
【請求項１】
複数のユニットを実装する自動取引装置において、上部ユニットが引き出された状態を時間計測する計測手段と、所望の操作を検知する検知手段と、前記検知手段の検知に起因して前記計測手段で時間を計測し、計測した時間がある規定値に達したとき、表示又は音声を出力する出力手段とを有することを特徴とする現金自動取引装置。
【発明の詳細な説明】
【０００１】
【発明の属する技術分野】
本発明は、故障等による保守作業、または点検作業をするために上部ユニットを引出した状態で何らかの作業を行わなければならない現金自動取引装置に関するものである。
【０００２】
【従来の技術】
現金自動取引装置における、故障等による保守作業、または点検作業において上部ユニットを引出した状態で行った場合引出した事を忘れてしまい上部ユニットで頭部を強打することがあり安全性が悪く、作業者の気配りで安全を確保していた。なお、何かしらの音声を出力する従来の技術として特開平６−１８１４８号公報記載の冷蔵庫の扉空き警告音がある。
【０００３】
【特許文献１】
特開平６−１８１４８号公報
【０００４】
【発明が解決しようとする課題】
従来の現金自動取引装置の保守作業、または点検作業においては、作業者の気配りで安全を確保していた。
【０００５】
本課題において上部ユニットを引出した状態で数分経過後、危険喚起し上部ユニットが引出されていることを知らせる事を可能とした現金自動取引装置を提供することにある。
【０００６】
【課題を解決するための手段】
上記課題を解決するために、従来の現金自動取引装置に保守作業、または点検作業時に上部ユニットを引出した状態で数分経過後、危険喚起し上部ユニットが引出されていることを知らせる事を可能とする。
【０００７】
【発明の実施の形態】
以下、本発明の実施例である現金自動取引装置について、図面を用いて説明する。
【０００８】
図１は、本発明を用いた現金自動取引装置の上部ユニットを引出した状態で保守作業、点検作業を行った場合の概略図を示す。
【０００９】
後扉１０１は、開けた状態で作業を行っている。保守員１０２は、装置上部に位置する通帳印字機構というユニットを引き出し、その下に中腰の状態で作業を行っている。壁１０３は、エンドユーザに保守員または顧客の作業内容を遮断させるものである。通帳入出機構１０４は、通帳の印字、磁気ストライプを読取りおよび書込みをするユニットで、カード入出機構１０５は、磁気カードのストライプを読取りおよび書込みをするユニットである。装置後面に設置された顧客操作部１０６は、顧客による取引内容の入力および保守員操作を行う部位である。副音声出力機構１０７は、保守員また顧客のための音声出力を行う部位である。制御部１０８は、装置を構成する各ユニットの制御する部位である。
【００１０】
図２は、機構動作フロー図を示す。
【００１１】
制御部１０８により装置上部に位置する上部ユニットの引出しを検知手段２０１にて検知する。その後、保守員の操作を検知手段２０２で検知した場合は、タイマー（計測手段ともいう）Ａ２０３が作動し、一定の規定値である数分経過後、副音声出力機構１０７により危険喚起２０４を行う。また、上部ユニット引出検知２０１を行った後、放置状態２０５にしておいた場合はタイマーＢ２０６が作動し数分経過後、副音声出力機構１０７により危険喚起２０４を行う。タイマーＡ２０３及びタイマーＢ２０６は副音声出力機構１０７に信号を送る経過時間が異なる。尚、音声以外の表示による危険喚起もあることから単にこれらを出力手段ともいう。
【００１２】
本発明を用いた現金自動取引装置に対して図１に示すような状態で、保守作業、または点検作業を行った場合に図１の制御部１０８で上部ユニットが引出されていることを検知し、数分経過を測る。その後、副音声出力機構１０７により危険喚起を行う。
【００１３】
【発明の効果】
本発明によれば、作業者の気配りで安全を確保していた保守作業、点検作業も危険喚起させることにより、上部ユニットで頭部を強打させることがなくなり、安全性を向上させることが出来る。また、副音声出力機構１０７で危険喚起することにより作業を行っている者のみに知らせることができ、エンドユーザにはその音声は聞こえない。
【図面の簡単な説明】
【図１】本発明を用いた現金自動取引装置の上部ユニットを引出した状態で保守作業、点検作業を行った場合の概略図を示す。
【図２】機構動作フロー図。
【符号の説明】
１０１…後扉、１０２…保守員、１０３…壁、１０４…通帳入出機構、１０５…カード入出機構、１０６…後顧客操作部、１０７…副音声出力機構、１０８…制御部、２０１…上部ユニット引出検知、２０２…保守員操作検知、２０３…タイマーＡ作動、２０４…危険喚起（音声出力）、２０５…放置状態、２０６…タイマーＢ作動。
【図１】
2004318353.tif 000003
【図２】
2004318353.tif 000004
(57)【要約】【課題】特にカメラ付き携帯電話の利用を前提としたサイトの運用に適した、画像メール方法を提供する。【解決手段】サーバーが、カメラ付きの携帯電話のユーザーから送信されるユーザー自身の画像データ付きのメールを受信し、該受信メールのユーザーのアドレスを、ユーザーデータベースに保存すると共に、画像選択手段によって、対応画像データを画像データベースからランダムに選択し、返信手段によって、選択した対応画像データを、受信メールのユーザーに返信する。【選択図】  なし【特許請求の範囲】
【請求項１】
サーバーが、モバイル機器のユーザーから送信されるユーザー自身の画像データ付きのメールを受信し、
該受信メールのユーザーのアドレスを、ユーザーデータベースに保存すると共に、
画像選択手段によって、対応画像データを画像データベースからランダムに選択し、
返信手段によって、選択した対応画像データを、受信メールのユーザーに返信することを特徴とする、
画像メール方法。
【請求項２】
モバイル機器が、カメラ付きの携帯電話である、請求項１に記載の画像メール方法。
【発明の詳細な説明】
【０００１】
【発明が属する技術分野】
【０００２】
本発明は画像メール方法に関し、詳細には、主にカメラ付きの携帯電話を有するユーザーが、自分の画像をメールにより送信することで、変身願望の要求に応じた対応画像データを受信する画像メール方法に関する。
【０００３】
【従来の技術】
【０００４】
従来、化粧方法、ヘアスタイル、衣装、ダイエット等の変身願望の要求に応えるものとして、特許文献１（特開２００３−６６２２号公報）に記載された技術が存在する。
この技術は、撮像画像にあらかじめ保存してある肌色画像データやヘアスタイル画像データ等により、バーチャル変身画像データを作成できるようにしたものである。
【０００５】
【特許文献１】
特開２００３−６６２２号公報
【０００６】
【発明が解決しようとする課題】
【０００７】
しかしながら、特許文献１に記載の技術によると、画像処理のためのシステムが複雑であり、時間とコストがかかり、実際に、システムを運用するのが容易でなかった。
特に、カメラ付き携帯電話が広く普及しつつあり、カメラ付き携帯電話の利用を前提としたサイトも登場しつつあるが、このようなサイトでは、運用が容易であることが重要な条件になっている。
【０００８】
従って、本発明の解決しようとする課題は、特にカメラ付き携帯電話の利用を前提としたサイトの運用に適した、画像メール方法を提供することにある。
【０００９】
【課題を解決するための手段】
【００１０】
本発明者は、上記課題を解決するために、カメラ付き携帯電話の利用者の意識に注目した。
そして、該カメラ付き携帯電話の利用者は、変身願望の要求に対して、必ずしも現実的な変身を求めているのではなく、遊び感覚的な要素の変身を求めていることを見出した。
すなわち、ユーザー自身の画像を送信することで、返信される対応画像データが、現実の自分とかけ離れたものであったとしても、くじ的な要素によるものとして捉え、こだわりを持たないことを見出し、本発明を完成するに至った。
【００１１】
具体的に、本発明の課題を解決するための手段は、次のとおりである。
【００１２】
第１に、サーバーが、モバイル機器のユーザーから送信されるユーザー自身の画像データ付きのメールを受信し、
該受信メールのユーザーのアドレスを、ユーザーデータベースに保存すると共に、
画像選択手段によって、対応画像データを画像データベースからランダムに選択し、
返信手段によって、選択した対応画像データを、受信メールのユーザーに返信することを特徴とする、
画像メール方法。
第２に、モバイル機器が、カメラ付きの携帯電話である、上記第１に記載の画像メール方法。
【００１３】
ユーザーデータベースは、受信メールのユーザーのメールアドレスや、画像データの他に、ユーザーから受信した情報である年齢、輪郭、ヘアースタイルなどを、ユーザー毎に区別できるように保存しておくものである。
【００１４】
ここで、特に、重要なものは、ユーザーのメールアドレスであって、サイト運営側にとって、多数のユーザーのメールアドレスを保存しておくことは、貴重なものとなる。
【００１５】
画像データベースは、多数の人物についての画像データを保存したものであるが、特に、年齢（１０代以下、２０代、３０代、４０代以上）、輪郭（丸顔、角顔、細面）、ヘアースタイル（ショート、ミディアム、セミロング、ロング）等の項目により検索可能に保存されていることが好ましい。
【００１６】
ユーザーがユーザー自身の画像データを送信する際に、年齢（１０代以下、２０代、３０代、４０代以上）、輪郭（丸顔、角顔、細面）、ヘアースタイル（ショート、ミディアム、セミロング、ロング）等を送信することもできる。
【００１７】
そして、年齢、輪郭、ヘアースタイルの分類に応じた対応画像データを、画像データベースからランダムに選択し、ユーザーに返信することもできる。
【００１８】
【発明の実施の形態】
【００１９】
以下に、本発明の画像メール方法の実施の一形態について説明する。
【００２０】
サーバーが、モバイル機器としてのカメラ付き携帯電話のユーザーから送信されるユーザー自身の画像データ付きのメールを受信する。
【００２１】
ユーザーは、ユーザー自身の画像データを送信する際に、年齢（１０代以下、２０代、３０代、４０代以上）、輪郭（丸顔、角顔、細面）、ヘアースタイル（ショート、ミディアム、セミロング、ロング）等の情報も送信する。
【００２２】
サーバーは、メールを受信したら、該受信メールのユーザーのアドレス、画像データ、年齢、輪郭、ヘアースタイル等を、ユーザーデータベースに保存する。
ここで、ユーザーデータベースは、受信メールのユーザーのメールアドレスや、画像データの他に、ユーザーから受信した情報である年齢、輪郭、ヘアースタイル等を、ユーザー毎に区別できるように保存しておくものである。
特に、重要なものは、ユーザーのメールアドレスであって、サイト運営側にとって、多数のユーザーのメールアドレスを保存しておくことは、貴重なものとなる。
【００２３】
次に、サーバーは、画像選択手段によって、対応画像データを画像データベースからランダムに選択する。
この際、画像データベースは、多数の人物についての画像データを保存したものであり、年齢（１０代以下、２０代、３０代、４０代以上）、輪郭（丸顔、角顔、細面）、ヘアースタイル（ショート、ミディアム、セミロング、ロング）等の項目により検索可能に保存されているので、年齢、輪郭、ヘアースタイルの分類に応じた対応画像データを、画像データベースからランダムに選択する。
【００２４】
そして、サーバーは、選択した対応画像データを、返信手段によって、受信メールのユーザーに返信する。
【００２５】
【発明の効果】
【００２６】
本発明によれば、特にカメラ付き携帯電話の利用を前提としたサイトの運用に適した、画像メール方法を提供することができる。
そして、特にカメラ付き携帯電話の利用者が待ち望んでいた遊び感覚的な要素を含んだサイトを提供できるので、多数のユーザーが該サイトにメールを送信することによって、運営側にとって、多数のユーザーのメールアドレスを収集して保存しておくことが可能になる。
(57)【要約】【課題】障害車両や、自然現象（太陽光、霧等）により遮られた信号機の確認を可能にして交通状況の改善を図る．事故時の信号状況を事後確認を可能にする。【解決手段】信号機本体より引用したプラス電流を交差点手前にプラス極の磁石と共に埋設をし（図１、２，３）、信号機の情報を磁気として発信する。発信された情報は車両底部に取り付けた磁気センサー（図２符号５）を伝い、車内に伝達される。（図４）受信表示機にメモリー機能の搭載により、事故時の事後確認を可能とすることが出来る。【選択図】      図１
2004318789.tif 000002
【特許請求の範囲】
【請求項１】
○システム
信号機に連結させた配線をアスファルトに埋設し、自動車側に取り付けたセンサーで前方の信号をキャッチし安全確実に前方の情報をドライバーに伝えるシステム。
【発明の詳細な説明】
【０００１】
本発明はいかなる場合においても車内に前方信号機の確認を可能とする物であり、交通事故削減を図るシステムであります。
【０００２】
ケースとしては、前方車両がトラック等大型で信号機の確認が出来ないケース、太陽の位置や霧、自然条件により信号機の確認が出来ない場合などに信号機より接続し路面に埋設した配線から信号をキャチし、車内にて信号の確認が可能となります。
【０００３】
発信機側（信号機）は信号機よりプラスの電流を引用し、アスファルト中にＮ極の磁石と共に埋設をする事により情報を発信する。
【０００４】
受信機側自動車には低部（車体裏）に磁気センサーを取り付け、埋設線を通過した時に取り付けセンサーにて情報をキャッチし運転者に前方の信号を通知します。
また、メモリー機能の搭載により最終情報を記憶し、交通事故時の不透明な部分の解消にもなります。
【発明の属する技術分野】
本発明は物理学に属する信号機の新たな伝達方法であります。
【従来の技術】
本発明は信号機の情報を個々の車に直接伝達すると云う、過去に例の無いまったく新しいシステムであります。
【発明が解決しようとする課題】
現在の信号機確認方法では確認しきれないケース（太陽光・障害車両）での確認を可能とする。
既存する信号機を活用する。
全ての交通車両への設置を可能とするためのコストの問題。
【課題を解決するための手段】
信号機よりの情報を的確に伝える為に、レーダータイプではなく（レーダーでは誤作動がある）磁気センサーを用いる。
信号機から電流を直接引用する事により、信号機本体の交換を不要とする。また伝達する信号機情報を単波数のみとする事により設置コスト（送信側）・本体コスト（受信側）を押さえることが可能となる。
【発明の効果】
本発明の採用により、確実な交通事故削減が図れます。
発明受信機側にメモリー機能の搭載により、事故時の事後証明が可能となります。
【図面の簡単な説明】
【図１】交差点側面図前方車両（障害物）により信号機確認が不可能な状態図です。
【図２】システム断面図埋設線より放出される磁気をセンサーで拾い、車内に伝達する図です。
【図３】交差点上面図
【図４】車内正面図（イメージ図）
【符号の説明】
１  信号機
２  送信線（プラス磁気発信側）
３  受信車両
４  障害車両
５  受信側センサー（磁気センサー）
６  車内搭載信号機
【図１】
2004318789.tif 000003
【図２】
2004318789.tif 000004
【図３】
2004318789.tif 000005
【図４】
2004318789.tif 000006
(57)【要約】      （修正有）【課題】書店に出向いて書籍を求める際に、消費者は店頭に置いてある商品を色々見比べて選ぶか、評判になっている書籍、つまりベストセラーを求めるかのどちらかの行動をとることが多い。しかし、これらの消費者行動に対応した出店の方法がとられていない。【解決手段】本発明は、様々なジャンルの書籍を総合的に扱う数店舗の書店をインターネット、もしくはＬＡＮ等でネットワーキングし、週もしくは月単位ですべての販売実績を集計。その集積されたデータを、例えば「推理小説」「ＳＦ小説」「紀行文」「ビジネス書籍」…またそれぞれを国内・国外に分ける…と言った消費者の趣味嗜好に沿ったジャンルで細かく分析・抽出し、各区分けにおけるベストセラー書籍を設定。その設定を基に仕入れを決定し、そのベストセラー書籍が置ける相応の売場スペースのある書店を出店、もしくは書店のコーナーとして設置する。【選択図】なし【特許請求の範囲】
【請求項１】
様々なジャンルの書籍を総合的に扱う書店を数店舗ネットワークで結び、販売実績を集計。蓄積されたデータを、消費者ニーズに沿ったジャンル等で区分けして分析・抽出し、その各区分けごとのベストセラーを、小規模書店、もしくは書店のコーナーで販売する手法。
また、そのベストセラーデータを利用した、インターネット網等を介する通信販売手法。
【発明の詳細な説明】
【発明が解決しようとする課題】
書店で書籍を求める際に、消費者は店頭展示の中から見比べて選ぶか、評判になっている書籍、つまりベストセラーを求めるかのどちらかの行動をとることが多い。
しかし、前者の場合大量の品揃えが必要となり大規模な店舗が必要とされ、そのコスト負担等の問題から簡単な出店は困難である。しかし、後者の場合であれば、大量の品揃えを必要とせず、小規模店舗でも可能なのだが、大半のベストセラーのまとめ方がジャンル等の区分けのない全体の販売量であったり、区分けがあったとしても例えば「小説」と言った大分類であり、趣味嗜好性の強い書籍と言う商品において消費者ニーズに沿った評価とは言い難く、消費者が選ぶにも、また書店で仕入れる場合も有効に機能してはいなかった。
【課題を解決するための手段】
本発明は、様々なジャンルの書籍を総合的に扱う数店舗の書店をインターネット、もしくはＬＡＮ等でネットワーキングし、週もしくは月単位ですべての販売実績を集計。その集積されたデータを、例えば「推理小説」「ＳＦ小説」「紀行文」「ビジネス書籍」…またそれぞれを国内・国外に分ける…と言った消費者の趣味嗜好に沿ったジャンルで細かく分析・抽出し、各区分けにおけるベストセラー書籍を設定。その設定を基に仕入れを決定し、そのベストセラー書籍が置ける相応の売場スペースのある書店を出店、もしくは書店のコーナーとして設置する。
また、そのベストセラーデータを利用し、インターネット網等を介した通信販売において、消費者側が書籍を選択する際の機能性を上げることも可能になる。
【発明の効果】
これによって、ある一定のスペースさえあれば可能な販売形態のため、大規模な売場は必要なくなり、コスト負担が軽減され有効な出店が可能となる上、消費者ニーズに沿った品揃えによる安定した販売実績の確保が見込める新しい書籍販売の形態が生まれる。
またこのことにより、これまで遠隔地等で近隣に小規模店しかなく、雑多に置かれた、しかも少ない品揃えの中から選ぶ…と言った消費者の不満足感を、ニーズに沿った細かい区分けのベストセラーデータによる品揃えにすることにより、別の角度からの満足感が生まれ、多少なりとも軽減できる。
(57)【要約】【課題】コンピュータ上で既存の文字列を操作（加工／保存／連携）する方法に関し、特に複雑な文字列操作や複数操作の一括実行を単純な定義の積み重ねにより実現する処理を提供する。【解決手段】入力した文字列に加工／保存／連携などの単一操作を行い、操作後の文字列を出力する処理の定義を作成する。この単一操作の定義と、他の単一操作の定義を複数積み重ねることにより複雑な文字列の操作や複数操作の一括実行を行うこともできる。全ての単一操作は基本として１つの文字列入力と、文字列操作、１つの文字列出力の構成で定義されているため、自由に組み合わせることが可能である。単一操作の定義や、それを積み重ねたものを事前に作成して保存しておくことにより、それに文字列を与えて即座に結果を得ることができ、何度でも同じ処理を行うことが可能である。【選択図】  図２
2004318788.tif 000002
【特許請求の範囲】
【請求項１】
文字列を入力として操作（加工／保存／連携）を行い操作後の文字列を出力する単一操作の定義を作成し、その単一操作は基本として１つの文字列入力と、文字列操作、１つの文字列出力の構成で定義されているため自由に組み合わせることが可能であり、その単一操作の定義と、他の単一操作の定義を複数積み重ねることによって、その定義を実行して複雑な文字列の操作を行ったり、複数の操作を一括して実行できることを特徴とする文字列操作システム。
【発明の詳細な説明】
【０００１】
【発明の属する技術分野】
この発明は、コンピュータ上で既存の文字列を操作（加工／保存／連携）する方法に関し、特に複雑な文字列操作や複数操作の一括実行を単純な定義の積み重ねにより実現する文字列操作システムに関するものである。
【０００２】
【従来の技術】
従来、既存の文字列を加工する場合、直接キー入力で文字列を削除／変更／挿入したり、置換機能で文字列を置き換えたり、加工手順をプログラムで作成したりしていた。また、加工した結果を紙やディスク等に保存するために保存操作を行ったり、他のプログラムやコンピュータなどに連携するために連携操作を行ったりした。
【０００３】
【発明が解決しようとする課題】
これには次のような欠点があった。
（イ）  直接キー入力する場合は、そのつど文字列を加工する手間がかかり、同様の変更が広範囲に及ぶ場合は加工漏れがあったりした。
（ロ）  置換機能で置き換える場合は、単純な文字列の置き換えしかできないため、複数段階に及ぶ複雑な加工には適用しずらく、手間が必要であった。
（ハ）  加工手順をプログラムで作成する場合には、専門的な知識が必要であり、簡易に作成することはできなかった。
（ニ）  加工した結果を紙やディスク等に保存するためには、別途に保存操作する手間が必要であった。
（ホ）  加工した結果を他のプログラムやコンピュータに連携するには、別途に連携操作する手間が必要であった。
本発明は、これらの欠点を解決するためのものである。
【０００４】
【課題を解決するための手段】
入力した文字列に加工／保存／連携などの単一操作を行い、操作後の文字列を出力する処理の定義を作成する。この単一操作の定義の実行だけで文字列操作の結果を得ることもできるが、この単一操作の定義と、他の単一操作の定義を複数積み重ねることにより複雑な文字列の操作や複数操作の一括実行を行うこともできる。全ての単一操作は基本として１つの文字列入力と、文字列操作、１つの文字列出力の構成で定義されているため、自由に組み合わせることが可能である。単一操作には文字列をプリンターやファイルに出力したり、他のプログラムやコンピュータに連携する操作も定義できる。単一操作の定義や、それを積み重ねたものを事前に作成して保存しておくことにより、それに文字列を与えて即座に結果を得ることができ、何度でも同じ処理を行うことが可能である。
本発明は、以上の構成からなる文字列操作システムである。
【０００５】
【発明の実施の形態】
以下、本発明の実施形態を図面を参照して説明する。
（イ）  図１は単一操作の基本的な構成図である。単一操作の定義は基本的に１つの文字列の入力、文字列の操作（加工／保存／連携）、１つの文字列の出力で構成される。
（ロ）  １つの単一操作の定義で行う文字列の加工には、文字列の挿入・文字列の削除・文字列の置換・文字列の入れ替え・文字列の並べ替え・文字列の抽出結合・文字列の分割・文字列の検索などがある。
（ハ）  １つの単一操作の定義で行う文字列の保存にはファイルへ保存・クリップボードへ保存・ディスプレイへ出力・プリンターへ出力などがある。
（ニ）  １つの単一操作の定義で行う文字列の連携には他のプログラムに連携・他のコンピュータへ通信して連携などがある。
（ホ）  図２は単一操作を複数積み重ねた図である。単一操作と単一操作の定義を複数積み重ねることにより複雑な文字列操作を行うことができる。
（ヘ）  図３のように、入力した文字列の条件判定により２つの出力を持つ単一操作もある。
（ト）  図４のように、２つの入力を一つにまとめて出力する単一操作もある。
（チ）  図５のように、複数の単一操作の定義を積み重ねた集まりは、文字列の入力が１つで出力が１つであれば、擬似的に１つの単一操作として扱える。
本発明は、以上の構成からなる文字列操作システムである。
【０００６】
これを使用するときは、既存の文字列から最終的な操作結果を得られるように、少しずつ単一操作を定義して、文字列操作の流れを単一操作の定義の積み重ねで実現する。作成した単一操作の定義と、その積み重ねの定義は保存しておくことにより、それに文字列を与えて実行させて即時に結果を得ることができ、何度でも同じ処理を行うことできる。
【０００７】
【発明の効果】
加工したい既存の文字列を、単一操作とその積み重ねの定義に渡して実行することにより、即時に正確に加工された文字列を受け取ることができる。複数の単一操作の積み重ねにより複数段階を必要とする複雑な加工も行うことができ、１つの単一操作は処理が単純なため専門的な知識がなくても作成できる。
また、文字列の加工結果をプリンターやファイルなどへ出力する単一操作を積み重ねれば別途に保存操作を行う必要がなく、また他のプログラムやコンピュータなどに連携する単一操作を積み重ねれば別途に連携操作を行う必要がない。
これにより、複雑で大量の文字列を操作する必要が発生したときには新たに定義を作成して結果を得ることができ、同一の操作を頻繁に行うときには事前に定義を作成して定型処理を実現できる。
【図面の簡単な説明】
【図１】本発明の単一操作の基本的な構成図。
【図２】本発明の単一操作を複数積み重ねた図。
【図３】本発明の２つの出力を持つ単一操作の図。
【図４】本発明の２つの入力を一つにまとめて出力する単一操作の図。
【図５】本発明の単一操作を複数積み重ねたものを１つの擬似的な単一操作とした図。
【符号の説明】
１  単一操作
２  擬似的な単一操作
【図１】
2004318788.tif 000003
【図２】
2004318788.tif 000004
【図３】
2004318788.tif 000005
【図４】
2004318788.tif 000006
【図５】
2004318788.tif 000007
(57)【要約】【課題】限られた人にしかできなかった、店のオーナーになってビジネスをするという夢を、子供・主婦・学生等、だれでもが簡単に、又低価格にて実現できるようにする。【解決手段】店舗に設けた複数のスペースに、出店したオーナーユーザーに代わって、店側で前記ユーザーの商品の販売を一般ユーザーに行い、インターネット上のホームページを利用して、各々のオーナーユーザーのビジネスの売上、在庫の情報、店の宣伝情報のサービスを提供する。このサービスにより、だれでも在宅にて、自分のビジネスの管理をできるようにする。又一つの店舗を小さなスペースながら、多数のオーナーユーザーに貸与して運営する事により、低価格にてサービスを提供できるようにする。【選択図】  図１
2004318787.tif 000002
【特許請求の範囲】
【請求項１】
店舗に複数のスペースを設け、ユーザーに前記スペースを貸与して、ユーザーが提供する商品を陳列するステップと、前記商品の販売及び、在庫管理を実行するステップと、インターネットを通して、前記ユーザーにそれぞれの売上げ及び、在庫の情報を提供し、且つ需要者に店舗の宣伝情報を提供するステップ、を有することを特徴とする店舗管理方法。
【発明の詳細な説明】
【０００１】
【発明の属する技術分野】
本発明は、店舗内に多数のスペースを設け、これをオーナーユーザーに貸与し、陳列した商品の、販売及び在庫管理をし、インターネット上のホームページを利用して、各々の前記ユーザーへ、売上げ及び在庫の情報を提供し、なお且つ、一般ユーザーに対して、各々のビジネスの宣伝情報を提供することで、子供、主婦、学生等、だれでも在宅にて、ビジネスに参加できる店舗管理方法になっている。
【０００２】
【従来の技術】
従来、一般の子供・主婦・学生等が、実際に店を持ってビジネスをしたいという夢を持っていても、実現することが非常に難しく、フリーマーケット等により実現が可能なぐらいであった。
【０００３】
【発明の実施の形態】
本発明は、だれでもが自分のしたいビジネスを、貸与されたスペースにて実際に行うことができ、インターネット上のホームページを利用して、各々のビジネスの売上、在庫の情報、店の宣伝情報のサービスを提供されることにより、店に居なくても、在宅にて自分のビジネスの状況を管理できるようにした。（図１参照）
【０００４】
【発明の効果】
インターネットを利用したサービスを提供され、実際に出店したオーナーユーザーは、店に居ないで各々のビジネスの情報を入手できるため、子供・主婦・学生等、だれでも簡単にビジネスに参加することができる。又一つの店舗を多数のオーナーユーザーにて運営するため、低価格にて出店することができる。
【図面の簡単な説明】
【図１】各々のオーナーユーザー及び、一般ユーザーへのサービス提供のフロー。
【図１】
2004318787.tif 000003
(57)【要約】【目的】デスクの下にパソコン本体を置き、デスク上にモニター、キーボード、外付けＤＶＤドライブ、スイッチボックスを配置する。スイッチボックスのスイッチを押し、電源ＬＥＤの点灯、ハードディスクＬＥＤの点滅を見ながら、従来のパソコンと同様に使う事が出来る。【構成】パソコンケース（１）に中間コネクタ（２）を設け、パソコンケース（１）内部のマザーボードの電源スイッチ端子、電源ＬＥＤ端子、ハードディスクＬＥＤ端子と繋ぐ、中間コネクタ（２）とスイッチボックス（３）（又は、モニター、外付けハードディスク、外付けＤＶＤドライブ、キーボード等、デスク上にある周辺機器に電源スイッチ、電源ＬＥＤ、ハードディスクＬＥＤを一体化してもよい）を延長コード（４）で繋ぐ。スイッチボックス（３）には電源スイッチ（８）と、電源ＬＥＤ（５）と、ハードディスクＬＥＤ（６）を設ける。以上のように構成された、ディスクトップパソコン用延長スイッチ。【選択図】図１
2004318784.tif 000002
【特許請求の範囲】
【請求項１】
パソコンケース（１）に中間コネクタ（２）を設け、パソコンケース（１）内部のマザーボードの電源スイッチ端子、電源ＬＥＤ端子、ハードディスクＬＥＤ端子と繋ぐ、中間コネクタ（２）とスイッチボックス（３）（又は、モニター、外付けハードディスク、外付けＤＶＤドライブ、キーボード等、デスク上にある周辺機器に電源スイッチ、電源ＬＥＤ、ハードディスクＬＥＤを一体化してもよい）を延長コード（４）で繋ぐ。
スイッチボックス（３）には電源スイッチ（８）と、電源ＬＥＤ（５）と、ハードディスクＬＥＤ（６）を設ける。
以上のように構成された、ディスクトップパソコン用延長スイッチ。
【発明の詳細な説明】
【０００１】
【産業上の利用分野】
この発明を利用したパソコンは、パソコン本体をデスク上に置かずにデスクの下又は、離れた場所に置く事ができる。
【０００２】
【従来の技術】
従来のパソコンは、パソコン本体に電源スイッチ類が付いていたため、デスク上にモニターと並べてパソコン本体を置いた。
【０００３】
【発明が解決しょうとする課題】
従来のパソコンは、パソコン本体をデスク上に置いていた為スペースをとり、圧迫感があり、邪魔である。
【０００４】
【問題を解決するための手段】
パソコンケースに中間コネクタを設け、パソコンケース内部のマザーボードの電源スイッチ端子、電源ＬＥＤ端子、ハードディスクＬＥＤ端子と繋ぐ、中間コネクタとスイッチボックス（又は、モニター、外付けハードディスク、外付けＤＶＤドライブ、キーボード等、デスク上にある周辺機器に電源スイッチ、電源ＬＥＤ、ハードディスクＬＥＤを一体化してもよい）を延長コードで繋ぐ。  スイッチボックスには電源スイッチと、電源ＬＥＤと、ハードディスクＬＥＤを設ける。
【０００５】
【作用】
デスクの下にパソコン本体を置き、デスク上にモニター、キーボード、外付けＤＶＤドライブ、スイッチボックスを配置する。スイッチボックスのスイッチを押し、電源ＬＥＤの点灯、ハードディスクＬＥＤの点滅を見ながら、従来のパソコンと同様に使う事が出来る。
【０００６】
【実施例】
以下、本発明の実施例について説明する。
パソコンケースに中間コネクタを設け、パソコンケース内部のマザーボードの電源スイッチ端子、電源ＬＥＤ端子、ハードディスクＬＥＤ端子と繋ぐ、中間コネクタとスイッチボックスを延長コードで繋ぐ。  スイッチボックスには電源スイッチと、電源ＬＥＤと、ハードディスクＬＥＤを設ける。
モニター、外付けハードディスク、外付けＤＶＤ  ドライブ、キーボード等、デスク上にある周辺機器のいずれかに電源スイッチ、電源ＬＥＤ、ハードディスクＬＥＤ等を一体化してもよい。
拡張スロット用ブラケット（７）に、中間コネクタ（２）を設けてもよい。
マザーボードに直接、中間コネクタ（２）を設けてもよい。
【０００７】
【発明の効果】
本発明は、以上のような構成でこれを利用したディスクトップパソコン用延長スイッチは、デスクの下にパソコン本体を置き、デスク上にモニター、キーボード、外付けＤＶＤドライブ、スイッチボックスを配置する。スイッチボックスのスイッチを押し、電源ＬＥＤの点灯、ハードディスクＬＥＤの点滅を見ながら、従来のパソコンと同様に使う事が出来る。
【図面の簡単な説明】
【図１】本発明の斜視図
【符号の説明】
（１）  パソコンケース
（２）  中間コネクタ
（３）  スイッチボックス
（４）  延長コード
（５）  電源ＬＥＤ
（６）  ハードディスクＬＥＤ
（７）  スロット用ブ拡張ラケット
（８）  電源スイッチ
【図１】
2004318784.tif 000003